【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
第１チャンバおよび第２チャンバを含むハウジングと、
前記第１チャンバ内に設けられる湿潤コンポーネントと、
前記第１チャンバ外側に設けられる乾燥コンポーネントであって、エピネフリン化合物を含む乾燥コンポーネントと、
前記第１チャンバと前記第２チャンバとの間に配置される移動体と、
第１置換メカニズムであって、前記湿潤コンポーネントを前記第１チャンバから前記第２チャンバ内へと移動させ、したがって前記湿潤コンポーネントと前記乾燥コンポーネントとを混合させて、混合された薬剤化合物を結果としてもたらすように構成された第１置換メカニズムと、
を備える、薬剤混合システム。
【請求項２】
第１チャンバおよび第２チャンバを含むハウジングと、
前記第１チャンバ内に設けられる湿潤コンポーネントと、
前記第１チャンバ外側に設けられる乾燥コンポーネントであって、グルカゴン化合物を含む乾燥コンポーネントと、
前記第１チャンバと前記第２チャンバとの間に配置される移動体と、
第１置換メカニズムであって、前記湿潤コンポーネントを前記第１チャンバから前記第２チャンバ内へと移動させ、したがって前記湿潤コンポーネントと前記乾燥コンポーネントとを混合させて、混合された薬剤化合物を結果としてもたらすように構成された第１置換メカニズムと、
を備える、薬剤混合システム。
【請求項３】
第１チャンバおよび第２チャンバを含むハウジングと、
前記第１チャンバ内に設けられる湿潤コンポーネントと、
前記第１チャンバ外側に設けられる乾燥コンポーネントであって、ジアゼパム化合物を含む乾燥コンポーネントと、
前記第１チャンバと前記第２チャンバとの間に配置される移動体と、
第１置換メカニズムであって、前記湿潤コンポーネントを前記第１チャンバから前記第２チャンバ内へと移動させ、したがって前記湿潤コンポーネントと前記乾燥コンポーネントとを混合させて、混合された薬剤化合物を結果としてもたらすように構成された第１置換メカニズムと、
を備える、薬剤混合システム。
【請求項４】
第１チャンバおよび第２チャンバを含むハウジングと、
前記第１チャンバ内に設けられる湿潤コンポーネントと、
前記第１チャンバ外側に設けられる乾燥コンポーネントであって、エムブレル（Ｅｍｂｒｅｌ）化合物を含む乾燥コンポーネントと、
前記第１チャンバと前記第２チャンバとの間に配置される移動体と、
第１置換メカニズムであって、前記湿潤コンポーネントを前記第１チャンバから前記第２チャンバ内へと移動させ、したがって前記湿潤コンポーネントと前記乾燥コンポーネントとを混合させて、混合された薬剤化合物を結果としてもたらすように構成された第１置換メカニズムと、
を備える、薬剤混合システム。
【請求項５】
第１チャンバおよび第２チャンバを含むハウジングと、
前記第１チャンバ内に設けられる湿潤コンポーネントと、
前記第１チャンバ外側に設けられる乾燥コンポーネントであって、ゾレア（Ｘｏｌａｉｒ）化合物を含む乾燥コンポーネントと、
前記第１チャンバと前記第２チャンバとの間に配置される移動体と、
第１置換メカニズムであって、前記湿潤コンポーネントを前記第１チャンバから前記第２チャンバ内へと移動させ、したがって前記湿潤コンポーネントと前記乾燥コンポーネントとを混合させて、混合された薬剤化合物を結果としてもたらすように構成された第１置換メカニズムと、
を備える、薬剤混合システム。
【請求項６】
第１チャンバおよび第２チャンバを含むハウジングと、
前記第１チャンバ内に設けられる湿潤コンポーネントと、
前記第１チャンバ外側に設けられる乾燥コンポーネントであって、ブチリルコリンエステラーゼ化合物を含む乾燥コンポーネントと、
前記第１チャンバと前記第２チャンバとの間に配置される移動体と、
第１置換メカニズムであって、前記湿潤コンポーネントを前記第１チャンバから前記第２チャンバ内へと移動させ、したがって前記湿潤コンポーネントと前記乾燥コンポーネントとを混合させて、混合された薬剤化合物を結果としてもたらすように構成された第１置換メカニズムと、
を備える、薬剤混合システム。
【請求項７】
前記ハウジングは、前記第１チャンバと前記第２チャンバとの間に配置される流体チャネルをさらに含む、請求項１〜６のいずれか１項に記載の薬剤混合システム。
【請求項８】
前記第１チャンバは、前記第２チャンバから構造的に独立している、請求項１〜６のいずれか１項に記載の薬剤混合システム。
【請求項９】
前記第１チャンバは、第１バイアルの中に形成され、前記第２チャンバは、第２バイアルの中に形成される、請求項８に記載の薬剤混合システム。
【請求項１０】
前記移動体は、前記第１チャンバ内へ部分的に延在し、前記第２チャンバ内へも部分的に延在する、請求項８に記載の薬剤混合システム。
【請求項１１】
前記第１置換メカニズムは、前記移動体の第１端部の周りに設けられる、請求項８に記載の薬剤混合システム。
【請求項１２】
作動アセンブリであって、前記第１置換メカニズムと機械的に連通して設けられ、前記作動アセンブリが作動すると、前記乾燥コンポーネントと混合して混合された薬剤化合物を結果としてもたらすように前記湿潤コンポーネントを前記第１チャンバから前記第２チャンバ内へと移動させるように前記第１置換メカニズムを前記第１チャンバ内へと駆動する、請求項１〜６のいずれか１項に記載の薬剤混合システム。
【請求項１３】
前記作動アセンブリは内側ハウジングをさらに備え、前記内側ハウジングは、手動入力に応答して前記移動体を前記第１チャンバ内へと置き換え、したがって前記第１コンポーネントを前記第２チャンバ内へと置き換えるように構成される、請求項１２に記載の薬剤混合システム。
【請求項１４】
前記第２チャンバと流体連通する針アセンブリと、
トリガと、
予め蓄積されたエネルギー源と、
をさらに備え、
前記トリガは、前記混合された薬剤化合物を前記第２チャンバから前記針アセンブリを通して置き換えるように前記移動体を前記第２チャンバ内へと置き換えるように前記予め蓄積されたエネルギー源からエネルギーを解放するように作動するように構成される、請求項１〜６のいずれか１項に記載の薬剤混合システム。
【請求項１５】
前記移動体は、前記第１チャンバ内へ部分的に延在し、前記第２チャンバ内へも部分的に延在する、請求項１４に記載の薬剤混合システム。
【請求項１６】
前記第２チャンバと関連する第２置換メカニズムをさらに備え、前記第１置換メカニズムは、前記移動体の第１端部の周りに設けられ、前記第２置換メカニズムは、前記移動体の反対の第２端部の周りに設けられる、請求項１５に記載の薬剤混合システム。
【請求項１７】
前記湿潤コンポーネントは、前記乾燥コンポーネントを溶解するように構成される、請求項１〜６のいずれか１項に記載の薬剤混合システム。
【請求項１８】
前記乾燥コンポーネントは、前記湿潤コンポーネント中に懸濁しているように構成される、請求項１〜６のいずれか１項に記載の薬剤混合システム。
【請求項１９】
第１チャンバと第２チャンバとの間に配置される流体チャネルを備えるハウジングと、
前記第１チャンバ内に設けられる湿潤コンポーネントと、
前記第１チャンバ外側に設けられる乾燥コンポーネントであって、エピネフリン、グルカゴン、ジアゼパム、エムブレル（Ｅｍｂｒｅｌ）、ゾレア（Ｘｏｌａｉｒ）、またはブチリルコリンエステラーゼの化合物のうちの少なくとも１つを含む、乾燥コンポーネントと、
前記第１チャンバと前記第２チャンバとの間に配置される移動体であって、弁を含む、移動体と、
第１置換メカニズムであって、前記第１チャンバと関連して設けられ、前記湿潤コンポーネントを前記第１チャンバから置き換えるように構成される、第１置換メカニズムと、
前記第１置換メカニズムと連通する作動アセンブリであって、前記作動アセンブリが作動すると、前記乾燥コンポーネントと混合して混合された薬剤化合物を結果としてもたらすように前記湿潤コンポーネントを前記第１チャンバから前記第２チャンバ内へと前記第１置換メカニズムに置き換えさせる、作動アセンブリと、
を備える、薬剤混合システム。
【請求項２０】
予め蓄積されたエネルギー源と、
前記第２チャンバと流体連通する針アセンブリと、
トリガと、
前記第２チャンバと関連する第２置換メカニズムであって、前記混合された薬剤化合物を前記第２チャンバから前記針アセンブリを通して置き換えるように構成される、第２置換メカニズムと、
を備え、
前記第１チャンバは、前記第２チャンバから構造的に独立していて、
前記トリガは、前記混合された薬剤化合物を前記第２チャンバから前記針アセンブリを通して置き換えるように前記第２置換メカニズムを前記第２チャンバ内へと置き換えるように前記予め蓄積されたエネルギー源からエネルギーを解放するように作動するように構成される、請求項１９に記載の薬剤混合システム。
【請求項２１】
前記移動体は、前記第１チャンバ内へ部分的に延在し、前記第２チャンバ内へも部分的に延在する、請求項２０に記載の薬剤混合システム。
【請求項２２】
前記作動アセンブリは内側ハウジングをさらに備え、前記内側ハウジングは、手動入力に応答して前記移動体を前記第１チャンバ内へと置き換え、したがって前記湿潤コンポーネントを前記第２チャンバ内へと置き換えるように構成される、請求項２０に記載の薬剤混合システム。
【請求項２３】
前記移動体は、前記第１チャンバ内へ部分的に延在し、前記移動体は、前記第２チャンバ内へも部分的に延在し、前記第１置換メカニズムは、前記移動体の第１端部の周りに設けられ、前記第２置換メカニズムは、前記移動体の第２端部の周りに設けられる、請求項２０に記載の薬剤混合システム。